(57)【要約】【課題】フィルターエレメントのみを交換することができ、交換を必要としない部品等の廃棄処理が不要な濾過構造体を提供する。【解決手段】フランジ部２４，２５が形成された内管２０と、濾紙３１よりなる円筒状のフィルターエレメント３０と、前記フィルターエレメント３０の下端部と前記内管２０の下フランジ部２５に亘って配設された下部シール部材４０と、前記下部シール部材４０の下部に配置されて前記内管２０の下フランジ部２５に対して着脱自在に螺着された下キャップ５０と、前記フィルターエレメント３０の上端部の各波形部３２Ｏの全部と前記上フランジ部２４に亘って配設された上部シール部材６０と、前記上部シール部材６０を覆い前記内管２０の上フランジ部２４に対して着脱自在に螺着された上キャップ７０と、前記ネジ棒１２と螺着する締付部材８５によって前記上キャップ７０を一体に締着する上押さえ皿８０とを有する。【選択図】        図１
2004321843.tif 000002
【特許請求の範囲】
【請求項１】
濾過タンク内の下受け皿に載置され、前記下受け皿を貫通して立設されたネジ棒によって螺着配置される濾過構造体であって、
筒内部に前記ネジ棒が貫通され周面に多数の透孔を備え上下の両端部にはフランジ部が形成された内管と、
外周面で被処理液体の粒子を捕捉する濾紙よりなり、前記内管の外周に配置され円周方向にピッチの小さい波形に折曲げて円筒状とされその下端部における前記波形部を個別的に閉塞されてなる円筒状のフィルターエレメントと、
前記円筒状フィルターエレメントの下端部の各波形部の根本近傍と前記内管の下フランジ部に亘って配設されたリング状の下部シール部材と、
前記下受け皿上にパッキンを介して密接し、前記ネジ棒を貫通する孔部を備え前記下部シール部材の下部に配置されて前記内管の下フランジ部に対して着脱自在に螺着された下キャップと、
前記円筒状フィルターエレメントの上端部の各波形部の全部と前記内管の上フランジ部に亘って配設されたリング状の上部シール部材と、
前記ネジ棒を貫通する孔部を備え前記上部シール部材を覆い前記内管の上フランジ部に対して着脱自在に螺着された上キャップと、
前記上キャップ上にパッキンを介して密接し、前記ネジ棒と螺着する締付部材によって前記上キャップを一体に締着する上押さえ皿
とを有することを特徴とする濾過構造体。
【発明の詳細な説明】
【０００１】
【発明の属する技術分野】
この発明は、工作用油等の濾過構造体に関する。
【０００２】
【従来の技術】
金属削り屑等の金属粒子を含んだ工作用油等の被処理液体を濾過するため、前記金属粒子を捕捉する濾紙からなるフィルターエレメントを備えた濾過構造体が知られている（例えば、特許文献１参照。）。
【０００３】
この種の濾過構造体は、円周方向にピッチの小さい波形に折曲げて円筒状とされたフィルターエレメントが、周面に多数の透孔を有する芯管の外周に筒状に配置され、その上端と下端がそれぞれ前記芯管に固着されて一体化されている。前記フィルターエレメントの下端は、前記波形の山部と前記芯管との間の開口が個別的に閉塞されている。
【０００４】
後にも詳述するように、この種の濾過構造体は、被処理液体を供給する原液パイプが接続された濾過タンク内に配置される。所定の圧力で前記濾過タンク内に供給された被処理液体は、これに含まれる金属粒子が前記フィルターエレメントの外周面に捕捉された後に前記芯管が有する透孔を通過して該芯管内に圧送される。芯管内に圧送された被処理液体は、流出管によって前記濾過タンクの外へ圧送される。
【０００５】
前記フィルターエレメントの外周面に捕捉された金属粒子は、濾過の終了後にエアーの吹き付けによって前記外周面から離れて該フィルターエレメントの下端に達し、前記金属粒子は前記波形の谷部から落下して回収される。
【０００６】
上述の濾過構造体は、前記フィルターエレメントの上端と下端が前記芯管に固着されている。前記フィルターエレメントが目詰まりし、該フィルターエレメントを交換するときは、前記フィルターエレメントのみならず該フィルターエレメントと一体化された前記芯管等も交換しなければならない。この場合には、前記芯管等の交換を必要としない部品等の廃棄処理が必要となる。
【０００７】
【特許文献１】
実公昭６１−１０７２７号公報  （第１−３頁、第４−８図）
【０００８】
【発明が解決しようとする課題】
この発明は、このような状況に鑑み提案されたものであって、フィルターエレメントのみを交換することができ、交換を必要としない部品等の廃棄処理が不要な濾過構造体を提供することを目的とする。
【０００９】
【課題を解決するための手段】
すなわち、この発明は、濾過タンク内の下受け皿に載置され、前記下受け皿を貫通して立設されたネジ棒によって螺着配置される濾過構造体であって、筒内部に前記ネジ棒が貫通され周面に多数の透孔を備え上下の両端部にはフランジ部が形成された内管と、外周面で被処理液体の粒子を捕捉する濾紙よりなり、前記内管の外周に配置され円周方向にピッチの小さい波形に折曲げて円筒状とされその下端部における前記波形部を個別的に閉塞されてなる円筒状のフィルターエレメントと、前記円筒状フィルターエレメントの下端部の各波形部の根本近傍と前記内管の下フランジ部に亘って配設されたリング状の下部シール部材と、前記下受け皿上にパッキンを介して密接し、前記ネジ棒を貫通する孔部を備え前記下部シール部材の下部に配置されて前記内管の下フランジ部に対して着脱自在に螺着された下キャップと、前記円筒状フィルターエレメントの上端部の各波形部の全部と前記内管の上フランジ部に亘って配設されたリング状の上部シール部材と、前記ネジ棒を貫通する孔部を備え前記上部シール部材を覆い前記内管の上フランジ部に対して着脱自在に螺着された上キャップと、前記上キャップ上にパッキンを介して密接し、前記ネジ棒と螺着する締付部材によって前記上キャップを一体に締着する上押さえ皿とを有することを特徴とする濾過構造体に係る。
【００１０】
【発明の実施の形態】
以下添付の図面に従ってこの発明を詳細に説明する。図１はこの発明の一実施例に係る濾過構造体の分解斜視図、図２は同濾過構造体が配置された濾過タンクの要部断面図、図３は同濾過構造体が有する内管の要部斜視図、図４は同内管の外周に配置された円筒状のフィルターエレメントの下端部の要部を示す図である。
【００１１】
図１および２に図示したように、この発明の濾過構造体１０は、濾過タンクＴ内の下受け皿１１に載置されて前記下受け皿１１を貫通して立設されたネジ棒１２によって螺着配置されるものである。この濾過構造体１０は、内管２０と、フィルターエレメント３０と、下部シール部材４０と、下キャップ５０と、上部シール部材６０と、上キャップ７０と、上押さえ皿８０とを有している。
【００１２】
内管２０は、図１ないし３に図示したように、該内管２０を構成する筒２１の内部に前記ネジ棒１２が貫通可能な貫通部２２を備えている。さらに、前記内管２０は、前記筒２１の周面に多数の透孔２３を備えている。この多数の透孔２３は、後述するフィルターエレメント３０によって濾過された被処理液体を前記内管２０の中心軸側へ流通させるものである。また、前記内管２０は、その上下の両端部にそれぞれ上フランジ部２４と下フランジ部２５が形成されている。前記上フランジ部２４と下フランジ部２５は、後述する上キャップ７０と下キャップ５０をネジにより螺着する複数のネジ孔Ｈ１とネジ孔Ｈ２をそれぞれ有している。なお、前記内管２０はステンレス等の金属材料によって構成される。
【００１３】
フィルターエレメント３０は、図１および４に図示したように、外周面で被処理液体の粒子を捕捉する濾紙３１よりなり、前記内管２０の外周に配置されて円周方向にピッチの小さい波形に折曲げて円筒状とされている。このフィルターエレメント３０は、前記波形に折曲げて円筒状とすることにより大きな濾過面積を確保することができる。また、前記円筒状フィルターエレメント３０の下端部における波形部３２Ｄは、公知のスペーサ３３によって個別的に閉塞されている。なお、前記濾紙３１に捕捉された粒子は、前記波形の谷部３４から自然落下して後述する濾過タンクＴの底部に設けた粒子排出口Ｔ４により回収される。
【００１４】
下部シール部材４０は、図１に図示したように、前記円筒状フィルターエレメント３０の下端部の各波形部３２の根本近傍３５と前記内管２０の下フランジ部２５に亘って配設されたリング状の部材である。このリング状の部材は、ゴム等からなる公知のパッキンである。
【００１５】
下キャップ５０は、図１に図示したように、前記ネジ棒１２を貫通する孔部５１を備え前記下部シール部材４０の下部に配置される。この下キャップ５０は、前記内管２０の下フランジ部２５に対して着脱自在に螺着される。この螺着は、複数（ここでは１２本）のネジＢ１によって、前記下キャップ５０を、前記下フランジ部２５のネジ孔Ｈ２を用いて締着することにより行われる。この下キャップ５０と前記下受け皿１１の間には公知のパッキン５２が挟入されており、該下キャップ５０は該下受け皿１１上に該パッキン５２を介して密接する。なお、前記下キャップ５０はステンレス等の金属材料によって構成される。
【００１６】
上部シール部材６０は、図１に図示したように、前記円筒状フィルターエレメント３０の上端部の各波形部３２Ｏの全部と前記内管２０の上フランジ部２４に亘って配設されたリング状の部材である。このリング状の部材は、前述した公知のパッキンである。
【００１７】
上キャップ７０は、図１に図示したように、前記ネジ棒１２を貫通する孔部７１を備え前記上部シール部材６０の上部に配置される。この上キャップ７０は、前記上部シール部材６０を覆い前記内管２０の上フランジ部２４に対して着脱自在に螺着される。この螺着は、複数（ここでは８本）のネジＢ２によって、前記上キャップ７０を、前記上フランジ部２４のネジ孔Ｈ１を用いて締着することにより行われる。この上キャップ７０は、前記円筒状フィルターエレメント３０の上端部に前記上部シール部材６０を介して密接する。なお、前記上キャップ７０はステンレス等の金属材料によって構成される。
【００１８】
上押さえ皿８０は、図１に図示したように、前記ネジ棒１２と螺着する締付部材８５によって前記上キャップ７０を前記円筒状フィルターエレメント３０へ一体に締着する。この上押さえ皿８０と前記上キャップ７０との間には公知のパッキン８２が挟入されており、該上押さえ皿８０は該上キャップ７０上に該パッキン８２を介して密接する。なお、前記上押さえ皿８０と締付部材８５はステンレス等の金属材料によって構成される。
【００１９】
次に被処理液体を、この濾過構造体１０によって濾過する方法について説明する。被処理液体Ｏは、図２に図示したバルブＶ１を開放して原液パイプＴ１により前記濾過タンクＴ内に供給される。この供給された被処理液体Ｏは、前記円筒状フィルターエレメント３０と内管２０を通過して矢印の如く該内管２０の貫通部２２に流通する。このとき前記円筒状フィルターエレメント３０は、その外周面で前記被処理液体Ｏに含まれる粒子を捕捉する。前記貫通部２２に流通した被処理液体Ｏは、この貫通部２２と連通する流出管Ｔ２により前記濾過タンクＴの外へ圧送される。
【００２０】
前記円筒状フィルターエレメント３０で捕捉された粒子は、以下の方法により定期的に除去される。前記濾過タンクＴ内には、図示のようにリング状部材Ｂ１が配置されている。このリング状部材Ｂ１は図示したバルブＶ２を介してエアー配管Ｔ３と接続され、該リング状部材Ｂ１は複数の小径貫通孔Ｈ３を有している。前記バルブＶ２を開放してエアー配管Ｔ３によって前記リング状部材Ｂ１に圧送されたエアーは、前記小径貫通孔Ｈ３から放出されて前記円筒状フィルターエレメント３０に向けて上昇し該フィルターエレメント３０で捕捉された粒子を吹き飛ばす。この吹き飛ばされた粒子は前記濾過タンクＴの底部に落下し、該吹き飛ばされた粒子は前記底部に設けた粒子排出口Ｔ４により回収される。前記粒子排出口Ｔ４は、公知の開閉装置Ｔ５により前記粒子の回収を行うときのみ開口される。
【００２１】
なお、図中の符号Ｂ２は前記下受け皿１１を前記濾過タンクＴに支持する支持部材、Ｂ３は前記濾過タンクＴの蓋部材、Ｂ４は前記蓋部材Ｂ３の把手部材、Ｐは公知のパッキン、Ｔ６は前記流出管Ｔ２の開閉装置、Ｔ７はエアーを前記濾過タンクＴの外部に排気する排気管、Ｖ３は逃がし弁である。
【００２２】
続いて前記円筒状フィルターエレメント３０の交換について説明する。この円筒状フィルターエレメント３０は、前記被処理液体Ｏの濾過を繰り返し行うと目詰まり等が起こる。この場合には前記円筒状フィルターエレメント３０の濾過性能が低下するため、該円筒状フィルターエレメント３０を交換する必要がある。
【００２３】
この円筒状フィルターエレメント３０の交換は以下の手順で行う。まず、前記締付部材８５を回転操作して該締付部材８５と前記ネジ棒１２の螺着状態を解除し、前記上押さえ皿８０とパッキン８２を取り外す。次に、前記上キャップ７０が螺着等された内管２０の外周に配置された円筒状フィルターエレメント３０を、前記ネジ棒１２から引き出す。その後、前記上キャップ７０と上部シール部材６０を、前記上フランジ部２４に対する該上キャップ７０の螺着状態を解除することによって取り外す。これによって、前記円筒状フィルターエレメント３０の上方が開放状態とされ、該円筒状フィルターエレメント３０を前記内管２０の外周から抜き取ることができる。
【００２４】
その後、新しい円筒状フィルターエレメントを前記内管２０に装着し、上述した手順を逆の順序で行って、前記新しい円筒状フィルターエレメントを前記内管２０の外周に配置する。この発明の濾過構造体１０は、これらの手順によって前記円筒状フィルターエレメント３０のみを交換することができる。なお、前記目詰まり等が起きて内管２０の外周から抜き取られた円筒状フィルターエレメント３０は、これを洗浄・乾燥することによって２ないし３回程度再利用することもある。
【００２５】
【発明の効果】
以上図示し説明したように、この発明によれば、目詰まり等が起きて交換が必要となったフィルターエレメントのみを交換することができる。これにより、従来とは異なり、交換を必要としない部品等の廃棄処理が不要となる。
【図面の簡単な説明】
【図１】この発明の一実施例に係る濾過構造体の分解斜視図である。
【図２】同濾過構造体が配置された濾過タンクの要部断面図である。
【図３】同濾過構造体が有する内管の要部斜視図である。
【図４】同内管の外周に配置された円筒状のフィルターエレメントの下端部の要部を示す図である。
【符号の説明】
１０  濾過構造体
１１  下受け皿
１２  ネジ棒
２０  内管
２１  筒
２３  透孔
２４  上フランジ部
２５  下フランジ部
３０  円筒状フィルターエレメント
３１  濾紙
３２  波形部
３５  円筒状フィルターエレメントの下端部の各波形部の根本近傍
４０  下部シール部材
５０  下キャップ
５１  下キャップの孔部
５２  パッキン
６０  上部シール部材
７０  上キャップ
７１  上キャップの孔部
８０  上押さえ皿
８２  パッキン
８５  締付部材
Ｔ    濾過タンク
【図１】
2004321843.tif 000003
【図２】
2004321843.tif 000004
【図３】
2004321843.tif 000005
【図４】
2004321843.tif 000006